(57)【特許請求の範囲】
【請求項１】
ａ）１）少なくとも片面に向かって開放している少なくとも１つのキャビティ（２ａ）を有し、キャビティ（２ａ）内に配置された少なくとも１種の生体吸収性担体材料を除去するための、機械的に安定なベース要素（１）、
２）少なくとも１種の吸着材、
３）内部に埋め込まれた生体吸収性担体材料を含有するキャビティの開口を少なくとも閉鎖する、少なくとも１種の密封箔（３）
のパッケージング、及び
ｂ）パッケージングの機械的に安定なベース要素（１）の１つのキャビティ（２ａ）内に少なくとも置かれた生体吸収性担体材料
を含む、製品であって、
ここで、前記生体吸収性担体材料がシリカゲルからなり、前記吸着材がゼオライトからなる、
前記製品。
【請求項２】
ａ）１）少なくとも片面に向かって開放している少なくとも１つのキャビティ（２ａ）を有し、キャビティ（２ａ）内に配置された少なくとも１種の生体吸収性担体材料を除去するための、機械的に安定なベース要素（１）、
２）少なくとも１種の吸着材、
３）内部に埋め込まれた生体吸収性担体材料を含有するキャビティの開口を少なくとも閉鎖する、少なくとも１種の密封箔（３）、
４）密封箔（３）と共にベース要素（１）を完全に取り囲み閉鎖する、アルミ箔またはラミネートアルミ箔で作製されたパウチ（４）
のパッケージング、及び
ｂ）パッケージングの機械的に安定なベース要素（１）の１つのキャビティ（２ａ）内に少なくとも置かれた生体吸収性担体材料
を含む、製品であって、
ここで、前記生体吸収性担体材料がシリカゲルからなり、前記吸着材がゼオライトからなる、
前記製品。
【請求項３】
パッケージングの機械的に安定なベース要素（１）が、少なくとも１種の吸着材を受容するための第２のキャビティ（２ｂ）を含むことを特徴とする、パッケージングおよびパッケージング内に置かれた生体吸収性担体材料を含む、請求項１又は２に記載の製品。
【請求項４】
少なくとも１種の密封箔（３）が、内部に埋め込まれた少なくとも１種の吸着材を含有するキャビティ（２ｂ）の開口も閉鎖することを特徴とする、パッケージングおよびパッケージング内に置かれた生体吸収性担体材料を含む、請求項１〜３のいずれか一項に記載の製品。
【請求項５】
吸着材を受容するためのキャビティ（２ｂ）が、ベース要素の少なくとも片面上で開放されており、密封箔が、キャビティが形成されている少なくとも片面に向かって開放された状態のベース要素の少なくとも２つのキャビティ（２ａおよび２ｂ）の開口を閉鎖しており、密封箔が、キャビティ（２ａ）内に配置された少なくとも１種の生体吸収性担体材料を除去するためだけに使用者によって剥離可能であることを特徴とする、請求項１〜４のいずれか一項に記載の製品。
【請求項６】
機械的に安定なベース要素（１）がアルミ箔またはラミネートアルミ箔の金属箔を含む、請求項１〜５のいずれか一項に記載の製品。
【請求項７】
請求項１〜６のいずれか一項に記載の製品の製造方法であって、
ａ）少なくとも片面に向かって開放している少なくとも１つのキャビティ（２ａ）を備えた機械的に安定なベース要素（１）を含有するパッケージングにおいて、少なくとも１種の生体吸収性担体材料が、キャビティ（２ａ）内の少なくとも１種の生体吸収性担体材料を除去するためにキャビティ（２ａ）内に挿入されており、
ｂ）内部に埋め込まれた生体吸収性担体材料を含有する少なくともキャビティの密封箔（３）が、密封箔（３）とベース要素（１）の一部との間でキャビティを完全に取り囲んでいるヒートシール結合が得られるように、または密封箔（３）自体の部分間でヒートシール結合が得られるように閉鎖されており、したがってベース要素および生体吸収性担体材料は、閉鎖後に密封箔（３）に置かれており、
ｃ）吸着材が、ステップｂ）での密封前にパッケージングに付加される、
前記方法。
【請求項８】
請求項１〜６のいずれか一項に記載の製品の製造方法であって、
ａ）少なくとも片面に向かって開放している少なくとも１つのキャビティ（２ａ）を備えた機械的に安定なベース要素（１）を含有するパッケージングにおいて、少なくとも１種の生体吸収性担体材料が、キャビティ（２ａ）内の少なくとも１種の生体吸収性担体材料を除去するためにキャビティ（２ａ）内に挿入されており、
ｂ）内部に埋め込まれた生体吸収性担体材料を含有する少なくともキャビティの密封箔（３）が、密封箔（３）とベース要素（１）の一部との間でキャビティを完全に取り囲んでいるヒートシール結合が得られるように、または密封箔（３）自体の部分間でヒートシール結合が得られるように閉鎖されており、したがってベース要素および生体吸収性担体材料は、閉鎖後に密封箔（３）に置かれており、
ｃ）機械的に安定なベース要素が、キャビティが密封箔（３）により閉鎖された状態で、密封箔（３）と共にベース要素（１）を完全に取り囲むアルミ箔またはラミネートアルミ箔のパウチ（４）によって密封され、
ｄ）吸着材が、ステップｂ）またはｃ）での密封前にパッケージングに付加される、
前記方法。
【請求項９】
機械的に安定なベース要素（１）が、アルミ箔またはラミネートアルミ箔の金属箔を備えている、請求項７又は８に記載の方法。
【請求項１０】
生体吸収性担体材料のパッケージングおよび保存のための、
ａ）少なくとも片面に向かって開放している少なくとも１つのキャビティ（２ａ）を備え、キャビティ（２ａ）内の少なくとも１種の生体吸収性担体材料を除去するための、機械的に安定なベース要素（１）、
ｂ）少なくとも１種の吸着材、及び
ｃ）内部に埋め込まれた生体吸収性担体材料を含有するキャビティの少なくとも開口を閉鎖する、少なくとも１種の密封箔（３）
からなるパッケージングの使用であって、
ここで、前記生体吸収性担体材料がシリカゲルからなり、前記吸着材がゼオライトからなる前記使用。
【請求項１１】
生体吸収性担体材料のパッケージングおよび保存のための、
ａ）少なくとも片面に向かって開放している少なくとも１つのキャビティ（２ａ）を備え、キャビティ（２ａ）内の少なくとも１種の生体吸収性担体材料を除去するための、機械的に安定なベース要素（１）、
ｂ）少なくとも１種の吸着材、
ｃ）内部に埋め込まれた生体吸収性担体材料を含有するキャビティの少なくとも開口を閉鎖する、少なくとも１種の密封箔（３）、及び
ｄ）密封箔（３）と共にベース要素（１）を完全に取り囲み閉鎖するアルミ箔またはラミネートアルミ箔のパウチ（４）
からなるパッケージングの使用であって、
ここで、前記生体吸収性担体材料がシリカゲルからなり、前記吸着材がゼオライトからなる前記使用。
【請求項１２】
機械的に安定なベース要素（１）がアルミ箔またはラミネートアルミ箔の金属箔を含む、請求項１０又は１１に記載の使用。
【発明の詳細な説明】
【技術分野】
【０００１】
本発明は、特に組織再生用の生体吸収性担体材料およびパッケージングを含有する製品に関し、またこの製品の製造方法にも関する。
【背景技術】
【０００２】
組織再生用の生体吸収性担体材料、例えば、シリカゲルの繊維またはウェブの創傷被覆材などでは、数カ月または数年の範囲の保存期間全体にわたり、担体材料の生分解性に悪影響を及ぼすことがわかった。特に、従来のパッケージングに保存された生体吸収性担体材料は、遅い生体吸収性または不完全な生体吸収性を有することが示された。後者の場合、組織内に残存する残留物をもたらす可能性があり、したがってより長い期間全体にわたり、炎症反応を引き起こし非生理的創傷治癒をもたらす可能性がある。本発明の主題は、生体吸収性担体材料の生分解性を、適切なパッケージング材料によって長期間にわたり保証できることを、驚くべきことについに見出したことである。これは、特に組織再生用の生体吸収性担体材料、例えばシリカゲルの生体吸収性創傷被覆材などの保存に関連して、特に重要なことである。
【０００３】
生体吸収性担体材料の創傷被覆材は、例えば糖尿病関連の潰瘍、床ずれ、火傷あるいは手術創の場合に存在するような、治癒しにくい創傷の治療のために提案される。この場合、治癒過程中の材料の吸収挙動は、治療を成功させるための中心的な重要性を有する。シリカゲルをベースにした創傷被覆材は、とりわけ、治癒しにくい創傷の治癒に使用されるのに、この生体吸収性およびこの生体適合性のため、非常に適する。施用のタイプおよび創傷の性質に応じて、特定の吸収挙動が必要とされ、この挙動は、製品の保存期間全体にわたり維持されなければならない。生分解性の維持に加え、保存および輸送中の創傷被覆材の機械的保護による安定性の保証は、適切なパッケージングを提供する際に留意しなければならないさらに重要な態様である。例えば輸送中に生じるような外部からの影響によって、創傷被覆材はパッケージング対して動き始める可能性があり、それが隅および縁の摩損を引き起こし、繊維の脱離または繊維の破壊をもたらすが、これらは審美的および実用的な理由で施用中は望ましくないものである。したがって、全方向における相対的な動きを最小限に抑えるよう制限する形が必要である。この場合、機械的固定をできる限り少なく保つためまたは機械的固定を回避するための材料の圧縮性−特に１０ｃｍ×１０ｃｍ以上の範囲にあるより大きな寸法の創傷被覆材の場合−により、例えば柔軟なシステム内の真空によって実現できるように、材料に対して表面圧力が引き起こされる。さらに、ラミネートフィルムのパウチでの単純なパッケージングの場合、外部からの機械的作用に対する不適切な保護が行われて、創傷被覆材に損傷をもたらす可能性がある。生分解性ならびに、機械的作用および組織再生用の生体吸収性担体材料の滑りに対する安定性を保証できる製品は、従来技術において記載されていない。したがって、生体吸収性担体材料の生体吸収性の損失を防ぐことができる、特に組織再生用の生体吸収性担体材料を含有する製品が求められている。同時に、この製品は、機械的作用に対して適切に生体吸収性担体材料を保護しなければならない。
【発明の概要】
【発明が解決しようとする課題】
【０００４】
したがって本発明の目的は、既存の欠点に対処し、生分解性および機械的保護の保証に関して前述の要件を満たす、特に組織再生用の生体吸収性担体材料を含有する製品を提供することであった。
【課題を解決するための手段】
【０００５】
本発明によれば、上記目的は：
ａ）１）少なくとも片面に向かって開放している少なくとも１つのキャビティ（２ａ）を有し、このキャビティ（２ａ）内に配置された少なくとも１種の生体吸収性担体材料を除去するための、機械的に安定なベース要素（１）、
２）少なくとも１種の吸着材、
３）内部に埋め込まれた生体吸収性担体材料を含有するキャビティの開口を少なくとも閉鎖する、少なくとも１種の密封箔（３）および
４）場合によって、密封箔（３）と共にベース要素（１）を完全に取り囲み閉鎖する、アルミ箔またはラミネートアルミ箔で作製されたパウチ（４）および／または
アルミ箔またはラミネートアルミ箔の金属箔を場合によってさらに含む、機械的に安定なベース要素（１）
のパッケージング、
ｂ）パッケージングの機械的に安定なベース要素（１）の少なくとも１つのキャビティ（２ａ）内に置かれた生体吸収性担体材料
を含む製品を提供することによって達成される。
【０００６】
本発明による製品は、驚くべきことに、生体吸収性担体材料の生分解性、外部からの機械的作用および／または動きに対する安定性および施用中の簡単な取扱いを保証することによって区別される。
【０００７】
本発明の意味において、「生体吸収性」または「生分解性」という表現は、担体材料が、（例えば、創傷または軟骨または骨媒体の）組織再生で存在するような典型的な条件に曝された場合に、分解している担体材料の特性を指す。生体吸収性または生分解性の担体材料は、特にこの材料が、３７℃にサーモスタット調温された０．０５ＭトリスｐＨ７．４緩衝溶液（Ｆｌｕｋａ  ９３３７１）中に４８時間後、好ましくは３６時間後、特に好ましくは２４時間後に完全に溶解する場合、本発明の意味において「生体吸収性」または「生分解性」である（実施例３参照）。
【０００８】
適切な生体吸収性担体材料（これらに制限するものではない。）は、例えば、シリカゲル、ポリグリコール酸、ポリ乳酸、ポリジオキサノン、ポリラクチドｃｏ−グリコライド、ポリ−ε−カプロラクトン、ポリ無水物、ポリホスファゼン、ポリオルトエステル、アルギネート、コンドロイチン−６−スルフェート、キトサン、ヒアルロン酸、コラーゲン、ポリリシン、デキストラン、ヘパリンなどである。本発明による好ましい生体吸収性担体材料は、組織再生に用いることができるものである。「組織再生用の担体材料」という表現は、生体吸収性材料からなり組織再生を支援する、表面要素および／または３次元空間要素を意味すると理解される。生体吸収性材料は、例えば上皮、内皮、尿路上皮、粘膜、硬膜、結合組織など、任意の所望の組織の再生に用いることができる。したがって、例えば、創傷治癒のための生体吸収性担体材料として表面要素（創傷被覆材）を用いることが可能である。軟骨または骨再生の場合、表面要素および／または３次元空間要素が使用される。好ましい生体吸収性担体材料は、シリカゲルをベースにしたものである。シリカゲル担体材料は、シリカゲル繊維、ウェブ、モノリス、ヒドロゲルおよび／または粉末を含むことができる。好ましい生体吸収性担体材料は、シリカゲル繊維および／またはシリカゲルウェブをベースにしたものである。例えばＤＥ  １０２００４０６３５９９Ｂ４またはＷＯ２００８０８６９７０Ａ１に記載されるようなシリカゲル繊維および／またはシリカゲルウェブをベースにした創傷被覆材が、特に好ましい。シリカゲルをベースにしたその他の生体吸収性担体材料は、ＷＯ２００１４２４２８Ａ１により知られているような皮膚内植込みまたは細胞組合せ、リード構造、組織または複合体グラフト、例えばＥＰ１２６２５４２Ａ２に記載されているようなものである。しかし本発明は、シリカゲルを特にベースにした組織再生用の生体吸収性担体材料を含有する製品のみに制限するものではない。本発明による製品は、他の適用例に関連した（組織再生用の担体材料として）シリカゲルをベースにした材料を含むこともできる。
【０００９】
本発明による機械的に安定なベース要素（１）は、例えばポリエチレンテレフタレートグリコール（ＰＥＴＧ）、ポリ塩化ビニル（ＰＶＣ）、ＣＯＣ（シクロオレフィンコポリマー、例えばＴｏｐａｓ（登録商標）、シクロオレフィンポリマー（ＣＯＰ）、ポリクロロトリフルオロエチレン（例えばＡＣＬＡＲ（登録商標））、ポリエチレン（ＰＥ）、ポリプロピレン、ポリ塩化ビニリデン（ＰＶＤＣ）、ポリカーボネート、ポリエステル、ポリアクリレート、ポリアミドまたはその他のプラスチックなど、通常のプラスチックからなる。
【００１０】
機械的に安定なベース要素は、場合によって、アルミ箔またはラミネートアルミ箔の金属箔を含有することができる。本発明のこの実施形態において、例えば、ラミネートアルミ箔を含有する深絞りアルミ皿が、ラミネートアルミ箔により微かな真空下で場合によって密封される。アルミ皿には、密封蝋および／またはポリマーベースのコーティングが内部に（即ち、生体吸収性担体材料または吸着材が受容される面に）設けられる。外側では、アルミ皿は、プラスチックブリスタにより場合によって強化することができる。本発明のこの実施形態における密封箔（３）も、好ましくはアルミ箔またはラミネートアルミ箔である。
【００１１】
ベース要素の機械的安定性は、曲げ剛性および座屈に対する安定性が非常に高いためにシールドオンされた箔を引き出した際にベース要素の形状が可能な限り最大限に保持される場合、保証されるものであり、したがって使用者は、生体吸収性担体材料、特に創傷被覆材を安全に除去することができ、例えば熟練した取扱いの場合には落下がなくなる。剛性は、例えば、材料強度を選択することによって、および深絞り中にベース要素（１）をプロファイリングすることによっても、保証することができる。ベース要素は、少なくとも１つのキャビティが形成される表面である。本発明の好ましい実施形態において、機械的に安定なベース要素（１）は、吸着材を受容するための第２のキャビティ（２ｂ）を含む。第２のキャビティの存在下、密封箔（３）は、両方のキャビティ（２ａおよび２ｂ）の開口を閉鎖することが好ましい。
【００１２】
キャビティから見た場合のベース要素の表面は、好ましくは平面である。キャビティの開口は、好ましくはベース要素の同じ面にある。平面ベース要素は、任意の所望の幾何形状をとることができる。好ましくは、ベース要素は４角形である。ベース要素は、滅菌障壁の機能を果たすこともできる。本発明の好ましい実施形態において、ベース要素の少なくとも２つのキャビティが、１列に、平行に、円形状に、螺旋状にまたは何列かに配置され、例えば円、長方形、６角形などの任意の所望の幾何形状をとることができる。好ましくは、生体吸収性担体材料を受容するためのキャビティは４角形であり、ここでは特に創傷被覆材が４角形である。好ましい実施形態において、創傷被覆材を受容するためのキャビティ（２ａ）は、創傷被覆材の除去を容易にするがキャビティ（２ｂ）内の創傷被覆材の機械的固定に影響を及ぼさない、別のリセス部（１１）を含有する。本発明のこの実施形態におけるリセス部（１１）は、キャビティ壁（１０）の断面形状のみをとるように設計される。
【００１３】
吸着材を受容するためのキャビティ（２ｂ）は、開放した状態または閉鎖された状態であることができる。後者の場合、ベース要素は、それ自体が、内部に吸着材材料が含有されている閉鎖空間を形成するように、製造中に成形される。キャビティ（２ａ）とキャビティ（２ｂ）との間には、ベース要素によって形成されたブリッジ（９）が存在する。またブリッジは、いくつかの場合には、例えばキャビティ（２ａ）および（２ｂ）を閉鎖した際の密封箔（３）がブリッジ（９）に接触しないように単に設計することもできる。
【００１４】
驚くべきことに、本発明によるパッケージングに少なくとも１種の吸着材を付加することにより、担体材料の生分解性を長期間にわたって保証できることが見出された。シリカゲルをベースにした担体材料の場合、少なくとも１種の吸着材は、水および／またはエタノール用の吸着材である。
【００１５】
好ましくは、水用およびエタノール用の１種または複数の吸着材が用いられる。水および／またはエタノール用の吸着材は、文献より公知である。水用の適切な吸着材は、例えば、２−５ｎｍの範囲の孔径を有するシリカゲルおよび／またはゼオライトである（Ｈｉｎｋｌｅ，Ｌ．Ｄ．、「Ｅｆｆｅｃｔ  ｏｆ  ｐｕｒｇｅ  ｐｒｅｓｓｕｒｅ  ｏｎ  ｄｅｓｏｒｂｉｎｇ  ｗａｔｅｒ  ｒｅｍｏｖａｌ  ｒａｔｅ」Ｊｏｕｒｎａｌ  ｏｆ  Ｖａｃｕｕｍ  Ｓｃｉｅｎｃｅ  ａｎｄ  Ｔｅｃｈｎｏｌｏｇｙ  Ａ：Ｖａｃｕｕｍ，  Ｓｕｒｆａｃｅｓ  ａｎｄ  Ｆｉｌｍｓ  ２００４、２２（４）、１７９９−１８０３／Ｇｏｒｂａｃｈ，Ａ．；Ｓｔｅｇｍａｉｅｒ，Ｍ．；Ｅｉｇｅｎｂｅｒｇｅｒ，Ｇ．，「Ｍｅａｓｕｒｅｍｅｎｔ  ａｎｄ  Ｍｏｄｅｌｉｎｇ  ｏｆ  Ｗａｔｅｒ  Ｖａｐｏｒ  Ａｄｓｏｒｐｔｉｏｎ  ｏｎ  Ｚｅｏｌｉｔｅ  ４Ａ−Ｅｑｕｉｌｉｂｒｉａ  ａｎｄ  Ｋｉｎｅｔｉｃ．」Ａｄｓｏｒｐｔｉｏｎ  ２００４、１０（１）、２９−４６／Ｇｒｕｂｎｅｒ，Ｏ．ら、「Ｍｏｌｅｋｕｌａｒｓｉｅｂｅ」［Ｍｏｌｅｃｕｌａｒ  ｓｉｅｖｅ］、Ｂｅｒｌｉｎ、Ｄｅｕｔｓｃｈｅｒ  Ｖｅｒｌａｇ  ｄｅｒ  Ｗｉｓｓｅｎｓｃｈａｆｔｅｎ  １９６８）。シリカゲル、ゼオライト３Ａおよびゼオライト４Ａは、例として挙げることができる。
【００１６】
エタノール用の適切な吸着材は、例えば、Ｓｉｌｉｃａｌｉｔｅ−１、Ｆ−ＳｉｌｉｃａｌｉｔｅおよびＺＳＭ−５である（Ｃｅｋｏｖａ  Ｂｌａｇｉｃａら、「Ｚｅｏｌｉｔｅｓ  ａｓ  ａｌｃｏｈｏｌ  ａｄｓｏｒｂｅｎｔｓ  ｆｒｏｍ  ａｑｕｅｏｕｓ  ｓｏｌｕｔｉｏｎｓ」、Ａｃｔａ  ｐｅｒｉｏｄｉｃａ  ｔｅｃｈｎｏｌｏｇｉｃａ、ｉｓｓ．３７、８３−８７頁、２００６）。
【００１７】
本発明によるパッケージング内の吸着材としてシリカゲルを用いることにより、シリカゲルをベースにした担体材料の生分解性を、数週間の保存期間実現することができる（実施例３参照）。シリカゲルは、水およびエタノール用の吸着材としてここでは適している。エタノールおよび水は、とりわけそれらの分子サイズが異なる。エタノールに特に適した吸着材は、したがってエタノールの分子サイズに適合された孔径を有し、それに対して水に特に適した吸着材は、水の分子サイズに適合された直径を有する。
【００１８】
驚くべきことに、本発明によるパッケージングに対し、一方が水に特に適しており他方がエタノールに特に適している２種の異なる吸着材を付加することによって、数カ月にわたる生分解性が保証される製品が得られることが示されている（実施例３参照）。
【００１９】
したがって、好ましくは、本発明による製品は少なくとも２種の吸着材を含み、これら吸着材の少なくとも１種は水用の吸着材であり（例えば、ゼオライト３Ａまたはゼオライト４Ａなど）、これら吸着材の少なくとも１種はエタノール用の吸着材である（例えば、Ｓｉｌｉｃａｌｉｔｅ−１）。
【００２０】
ここでの１種または複数の吸着材は、ベース要素の内部（即ち、例えば、ベース要素内の吸着材用にまたは別の位置に設けられたキャビティ内）および／または外側（即ち、パウチ内であるが吸着材用に設けられたキャビティ内ではない。）に組み込むことができる。好ましくは、（１種の／複数の）吸着材は、ベース要素の吸着材用に設けられたキャビティ内に組み込まれる。取扱いは、吸着材がパウチ外に落下できないので、この吸着材を用いることによって単純化される。しかし、１種または複数の吸着材は、その他の実施形態において、例えばキャビティ（２ａ）内のモノリスとしても付加することができ、透過性フィルムによって覆われる。次いで生体吸収性担体材料（例えば、創傷被覆材）が、このフィルムに付加される。あるいは、１種または複数の吸着材は、小さいパウチ内に導入することもでき、密封されるラミネートアルミ箔、即ち密封箔（３）の下でこの形で密封することができる。
【００２１】
シリカゲルをベースにした生体吸収性担体材料と吸着材材料との間の定量比は、好ましくは２：１から１：２０の間であり、特に好ましくは１：２から１：１０の間である。
【００２２】
本発明によれば、内部に埋め込まれた吸収性担体材料を含有するベース要素のキャビティの開口は少なくとも、密封箔（３）によって（箔をベース要素にヒートシールすることによって）閉鎖される。密封箔は、粒子の透過を防止し、例えば、パウチ（４）を開けるときに早くも生体吸収性担体材料を落下させることなくパウチ（４）の存在下で前記材料の除去を可能にする。密封箔は、金属箔および／またはポリマーフィルムである。しかし密封箔は、それ自体が、アルミ箔またはラミネートアルミ箔のパウチであることもできる。この場合、密封箔は例えば、ベース要素、吸着材および生体吸収性担体材料が密封箔によって完全に取り囲まれるように（パウチとして）、ベース要素の開口を閉鎖することができる。この実施形態において、密封箔は、例えばヒートシールによってベース要素に結合される必要はなく、例えば微かな真空下で、それ自体で閉じる（即ち、密封される）ことができる。密封箔（３）は、ベース要素と同じ材料から作製することができる。例えばアルミ箔またはラミネートアルミ箔は、金属箔として使用される。例えばＴｙｖｅｋ（ＤｕＰｏｎｔ）をベースにしたフィルムは、ポリマーフィルムとして使用することができる。本発明のアルミ箔またはラミネートアルミ箔のアルミニウム層は、好ましくは少なくとも１０μｍの、特に好ましくは少なくとも１６μｍの層厚を有する。アルミ箔またはラミネートアルミ箔は、本発明の好ましい実施形態において、いくつかの層からなる。例えば、箔は３層状態であり、外側から内側に向かってＰＥＴ、アルミニウムおよびＰＥからなる。本発明のさらに好ましい実施形態において、アルミ箔またはラミネートアルミ箔（４）の追加のパウチは、密封箔（３）および吸着材および生体吸収性担体材料がベース要素のキャビティ内に置かれた状態でベース要素（１）を完全に取り囲み、この要素を閉鎖している（例えば、それ自体でヒートシールすることによって）。本発明の特に好ましい実施形態において、パウチは、少なくとも２つの異なる層からなり、内層（即ち、ベース要素および密封箔と接触する層）とアルミ箔との間の結合がヒートラミネーションによって行われている。接着剤の使用は、ここでは省くことができる。あるいは、その調製においてイソシアネートが用いられない糊または接着剤が好ましい。微量の例えばメチレンジイソシアネート（ＭＤＩ）またはトルエンジイソシアネート（ＴＤＩ）は、シリカゲル繊維の２次成分と併せて望ましくない変色を引き起こす可能性がある。記載されている設計のラミネートフィルムは、市場において、例えばＡｍｃｏｒから得ることができる。パウチは、密封箔と共にベース要素がパウチ内に置かれるように、閉じられる。好ましい実施形態において、フィルムパウチまたはこの一部は、使用者が容易に開けることができるように剥離可能であり、またはジッパを備えている（図３ｂにおいて（８）により示される。）。
【図面の簡単な説明】
【００２３】
【図１】キャビティを備えたベース要素の実施例を下から見た図である。
【図２】キャビティを備えたベース要素の実施例を平面図で表した図である。
【図３ａ】キャビティを備えたベース要素の実施例を側面から見た図である。
【図３ｂ】キャビティ、密封箔（３）および場合によって存在するパウチ（４）を備えたベース要素の実施例を側面から見た図である。
【図４ａ】いくつかのキャビティ（２ａおよび２ｂ）を備えたベース要素の実施例を示す図である。
【図４ｂ】いくつかのキャビティ（２ａおよび２ｂ）を備えたベース要素を平面図で表した図である。
【発明を実施するための形態】
【００２４】
本発明の好ましい実施形態は、機械的に安定なベース要素（１）のキャビティ（２ａ）がキャビティ（２ａ）内に配置された少なくとも１種の創傷被覆材を除去するために備えられており、３次元の１つにおけるキャビティ内の創傷被覆材の滑りが本質的に不可能になるような高さ、幅および長さで設計されているパッケージングを含む製品に関する。ここでの基本原理とは、キャビティの縁と創傷被覆材との間の狭い隙間幅の結果、外部からの機械的作用（例えば、振動）の場合には創傷被覆材とブリスタとの間の相対速度が厳密に制限され、したがってブリスタに対する創傷被覆材の衝撃の場合には伝達されるエネルギーが非常に低いので、応力が繰り返される場合であっても製品の損傷は生じないことである。したがって、創傷被覆材の機械的保護の場合、創傷被覆材を受容するためのベース要素のキャビティの寸法は、創傷被覆材の寸法に厳密に一致している。約１ｍｍ未満、特に非常に好ましくは約０．５ｍｍ未満である、創傷被覆材からキャビティ壁（１０）のそれぞれの場合における１つまでの側縁距離が、特に好ましい。これにより、特に隅における摩損をもたらす可能性がある横方向の滑りが防止される。創傷被覆材を受容するためのキャビティの高さ（床板（５）からまたは１つのブリッジ（７）から、密封箔まで）は、約５ｍｍ未満、特に好ましくは約２ｍｍ未満だけ創傷被覆材の厚さを超える。これは、創傷被覆材が、３次元全て（高さ、幅、長さ）においてキャビティ内で機械的に固定されることを意味する。創傷被覆材は、好ましくは下記の寸法：２．５×２．５ｃｍから２０×２０ｃｍを有する。したがって下記の事項は例示であり−１０×１０ｃｍの創傷被覆材では、創傷被覆材を受容するためのキャビティが下記の方法で成形され：キャビティの長さおよび幅は、好ましくはそれぞれの場合に約１０．０１−１０．１ｃｍであり；高さは、創傷被覆材の厚さに、さらに好ましくは０．３ｍｍから５ｍｍを加えた値に対応する。
【００２５】
創傷被覆材の摩損の危険性は、円または角張った形のパーツが得られるようにウェブファブリックから創傷被覆材を打ち抜くことによって、さらに低減させることができる。例えば４角形や６角形などの角張った形のパーツの場合、打抜きツールは、創傷被覆材の隅に丸みがつくように構成される。
【００２６】
さらに好ましい実施形態において、パッケージングを含む本発明による製品は、機械的に安定なベース要素（１）のキャビティ（２ａ）が、キャビティ（２ａ）内に配置された少なくとも１種の創傷被覆材を除去するために、湿潤流体を受容するためのチャネル（６）および除去中に湿潤流体を排出するためのブリッジ（７）を備えた床板（５）を有するように成形される。チャネルおよびブリッジを備えた床板の設計の結果、疎水性の創傷被覆材を、除去前に（等張性）塩溶液または緩衝溶液で湿潤させることができる（例えば、ピンセットを用いて）。これを用いることにより、単純化された（複雑さのない）、皮膚に対する創傷被覆材の直接的施用が可能になり、創傷組織および創傷滲出液とのより迅速で広範な交換が保証される。ブリッジ間の距離、即ちチャネル幅は、この湿潤は湿潤流体によって行われ、この流体は簡単に排出することができるように少なくとも大きくされる。この場合のチャネル幅は、湿潤した創傷被覆材を取り扱おうとしてブリッジ間に垂れることがないように小さくなるよう選択される。ブリッジの幅は、創傷被覆材の適切な支持が保証されるように、好ましくは選択される。ブリッジまたはチャネルの数および寸法の選択における別の態様は、それぞれの材料の深絞り性と審美的な観点である。
【００２７】
さらに好ましい実施形態は、機械的に安定なベース要素（１）のキャビティ（２ｂ）が、ベース要素の少なくとも片面上で吸着材を受容するために開放されており、密封箔が、キャビティが形成されている少なくとも片面に向かって開放された状態のベース要素の少なくとも２つのキャビティ（２ａおよび２ｂ）の開口を閉鎖しており、密封箔が、キャビティ（２ａ）内に配置された少なくとも１種の生体吸収性担体材料を除去するためにだけに使用者によって剥離可能であるパッケージングを含む、本発明による製品に関する。ベース要素のキャビティ（２ｂ）内に吸着材を組み込んだ場合、湿潤流体との接触は回避されるべきである。このため、この（第２の）キャビティ（２ｂ）は、密封箔で閉鎖されるべきであり、また組織再生用の生体吸収性担体材料を含有するキャビティ（２ａ）を開放するときに開放された状態であるべきではない。
【００２８】
したがって、本発明によるさらに好ましい実施形態において、リセス部が、生体吸収性担体材料を備えたキャビティ（２ａ）を閉鎖する密封箔と、吸着材を備えたキャビティ（２ｂ）を閉鎖する密封箔との間のブリッジ（９）上に位置付けられている。あるいは、ブリッジ（９）に密封された密封箔を打ち抜くことにより、画定された切取り縁を作製することができる。このように吸着材を受容するベース要素のキャビティは、密封箔を開放するときに閉鎖されたままである。
【００２９】
本発明の代替の実施形態において、吸着材材料は、ベース要素によって完全に取り囲まれるようにベース要素のキャビティ内に組み込まれ、もはや密封箔によって閉鎖される必要はない。本発明のこの実施形態における吸着材を受容するためのキャビティは、ベース要素それ自体により形成された閉鎖空隙を形成する。
【００３０】
本発明はさらに、
ａ）少なくとも片面に向かって開放している少なくとも１つのキャビティ（２ａ）を備えた機械的に安定なベース要素（１）を備えたパッケージングにおいて、少なくとも１種の生体吸収性担体材料が、キャビティ（２ａ）内の少なくとも１種の生体吸収性担体材料を除去するためにキャビティ（２ａ）内に挿入されており、
ｂ）内部に埋め込まれた生体吸収性担体材料を含有する、密封箔（３）少なくともキャビティが、密封箔（３）とベース要素（１）の一部との間でキャビティを完全に取り囲んでいるヒートシール結合が得られるように、または密封箔（３）自体の部分間でヒートシール結合が得られるように閉鎖されており、したがってベース要素および生体吸収性担体材料は、閉鎖後に密封箔（３）に置かれており、
ｃ）場合によって、機械的に安定なベース要素が、キャビティが密封箔（３）により閉鎖された状態で、密封箔（３）と共にベース要素（１）を完全に取り囲むアルミ箔またはラミネートアルミ箔のパウチ（４）によって密封され、および／または
機械的に安定なベース要素（１）が、アルミ箔またはラミネートアルミ箔の金属箔を場合によってさらに備えており、
ｄ）少なくとも１種の吸着材が、担体材料としてシリカゲルの場合、好ましくは水用の吸着材およびエタノール用の吸着材が、ステップｂ）またはｃ）での密封前にパッケージングに付加される、
本発明による製品の製造方法にも関する。
【００３１】
機械的に安定なベース要素（１）の場合に第２のキャビティ（２ｂ）が存在する場合、密封箔（３）は、両方のキャビティを閉鎖することが好ましい。次いで少なくとも１種の吸着材がキャビティ（２ｂ）内に挿入された後、密封箔（３）でヒートシールする。あるいは、少なくとも１種の吸着材を小さなパウチ内に導入し、この形をとる密封箔（３）の下で密封することもできる。この実施形態において、生体吸収性担体材料および少なくとも１種の吸着材に十分なスペースが利用可能である限り、ただ１つのキャビティ（２ａ）を存在させることができる。またこの実施形態において、少なくとも１種の吸着材を、ヒートシールする前にキャビティ内にさらに導入しなければならない。あるいは、吸着材は、パウチを密封する前に、アルミ箔またはラミネートアルミ箔のパウチ（４）に付加することができる。本発明の別の実施形態において、ベース要素のキャビティに無水不活性ガス（例えば、窒素など）をフラッシュした後、密封箔（３）で密封する。
【００３２】
キャビティ（２ｂ）が、ベース要素の少なくとも片面上で吸着材を受容するため開放された状態であり、密封箔（３）が、キャビティが形成されている少なくとも片面に向かって開放しているベース要素の少なくとも２つのキャビティ（２ａおよび２ｂ）の開口を閉鎖し、密封箔が、キャビティ（２ａ）に配置された少なくとも１種の生体吸収性担体材料を除去するためにのみ使用者によって剥離可能であるように、パッケージングが設計される場合、製造中に、例えば、キャビティ（２ａ）用および（２ｂ）用の２種の個別の密封箔を、ヒートシールすることができる。他の実施形態において、ただ１種の密封箔（３）を適用することもでき、この箔は後にブリッジ（９）上で打ち抜かれ、したがって画定された切取り縁が得られるものである。
【００３３】
機械的に安定なベース要素として、本発明によれば、製作済みのブリスタ（（１つまたは複数の）キャビティを備えたベース要素）が用いられ、またはブリスタが深絞り機上のプラスチックフィルムから深絞りされる。この後、生体吸収性担体材料、好ましくは創傷被覆材および吸着材が、ベース要素のために設けられたこのベース要素のキャビティ内に挿入される。この後、密封箔を施し、この箔をヒートシールによってブリスタに結合する。閉じたブリスタは、製作済みのアルミ箔パウチまたはラミネートアルミ箔パウチに好ましくは導入され、最後の継ぎ目が密封機を用いてヒートシールされる。あるいは、パウチは、アルミ箔またはラミネートアルミ箔から４方密封機で製造することができる。その他のパッケージング、例えば折畳み式の箱へのパッケージング、ラベリング、パッケージインサートの付加などは、公知の従来技術と同様に実施される。
【００３４】
本発明は、本出願に記載されている生体吸収性担体材料のパッケージングおよび保存のための、本出願に記載されているパッケージングの使用にも関する。
【００３５】
本発明は、以下の図および実施例を使用して、これらの図および実施例に限定することなくより詳細に例示される。
凡例：
（１）：ベース要素
（２ａ）：キャビティ（２ａ）に配置された少なくとも１種の生体吸収性担体材料を除去するためのキャビティ（２ａ）
（２ｂ）：吸着材を受容するためのキャビティ（２ｂ）
（３）：密封箔
（４）：パウチ
（５）：キャビティ（２ａ）の床板
（６）：湿潤流体を受容するための１つまたは複数のチャネル
（７）：湿潤流体を排出するためのブリッジ
（８）：パウチ（４）を開けるのを容易にするジッパまたは要素
（９）：キャビティ（２ａ）とキャビティ（２ｂ）との間のブリッジ
（１０）：１つまたは複数のキャビティ壁
（１１）：キャビティ（２ａ）から製品を簡単に除去するためのリセス部
【実施例】
【００３６】
実施例１
生体吸収性担体材料（生体吸収性創傷被覆材）の製造に関する説明
以下に記載される実施例で使用される生体吸収性創傷被覆材の合成（加水分解／縮合、反応性蒸着および熟成）を、ＷＯ２００８０８６９７０Ａ１に詳述されているように実施した。必須の方法パラメータを以下にまとめる：
加水分解／縮合：−２１撹拌容器内
−モル比単位
−約１９時間の反応時間
−１５０ｒｐｍでの撹拌
−２時間の断熱処置、この後３７℃での等温処置
反応蒸着：      −２１撹拌容器内
−方法：制御空気の曇りを用いた蒸着
−６３℃での等温処置
−約５時間２０分の反応時間
−６０ｒｐｍでの撹拌
−終了時の粘度（４℃；１０ｓ−１）：０．９５Ｐａｓ
熟成：          −５００ｍｌ熟成ビーカー内
−熟成温度４℃
−熟成期間（重合）：２１日間
−８０℃で中間保存後、スピニングを行う：
−スピニング中、ゾルを約−１２℃に温度調節
−スピニングタレット供給空気：温度２５℃、露点０℃
−１９ノズルホールプレートの使用
−約４０分間の、アイソレータボックス内での全てのウェブの調整
−ウェブの切断（５ｃｍ×５ｃｍ）ウェブは本出願で論じられた生体吸収性創傷被覆材に対応
【００３７】
実施例２
生体吸収性創傷被覆材のパッケージング
創傷被覆材を、本発明によるブリスタ内に置いた。１種または複数の吸着材を、ブリスタ内で吸着材のために設けられたリセス部に、同様に置いた（２つの吸着材パックを使用する場合、第２の吸着材パックは第１の吸着材パック上に軽く置いた。）。このように充填されたブリスタを、製作済みのラミネートアルミ箔パウチ内に引き続きパックし、微かな真空中で密封した。真空であるので、パウチはブリスタを事実上閉鎖し、したがって創傷被覆材は落下することができなかった。上述のパッケージングの場合、下記の変形例がさらに実施された：
−吸着材のない、実施例１により調製された生体吸収性創傷被覆材のパッケージング
−シリカゲル２．０ｇの１パックを備えた、実施例１により調製された生体吸収性創傷被覆材のパッケージング
−ゼオライト４Ａ  ２．０ｇの１パックを備えた、実施例１により調製された生体吸収性創傷被覆材のパッケージング
−ゼオライト１３Ｘ  ２．０ｇの１パックを備えた、実施例１により調製された生体吸収性創傷被覆材のパッケージング
−Ｓｉｌｉｃａｌｉｔｅ−１  ２．０ｇの１パックを備えた、実施例１により調製された生体吸収性創傷被覆材のパッケージング
−Ｓｉｌｉｃａｌｉｔｅ−１  ２．０ｇおよびゼオライト４Ａ  ２．０ｇの１パックを備えた、実施例１により調製された生体吸収性創傷被覆材のパッケージング
吸着材材料は、例えばＭｕｌｔｉｓｏｒｂから得ることができる。
【００３８】
実施例３
生体吸収性創傷被覆材の分解挙動
この試験では、実施例２によるパッケージング内に２２日間保存された生体吸収性創傷被覆材の切片（約２０−３０ｍｇ）を計量し、金属スクリーンインサートに加えた。次いでこの切片を、０．０５ＭトリスｐＨ７．４緩衝溶液（Ｆｌｕｋａ  ９３３７１）５００ｍｌが３７℃にサーモスタット調温された状態で入っている容器に加える。材料の交換を改善するために、打ち抜いたバスケットを５０ｒｐｍの速度で回転させる。全測定期間中、緩衝溶液を３７℃に温度調節する。容器の内容物の、ある一定のしかし微かな混合をここで行う。分解過程を、液相のＳｉ分析を用いてモニタする。ここではサンプル（溶液約１ｍｌ）を、２４時間経過中に、ある時間間隔で採取し、Ｓｉ含量に関してＩＣＰ−ＯＥＳにより分析する。この結果の値（単位：μｇ／ｍｌ）を、１．０７０倍してｍｇ絶対値（６０．０９／２８．０９×５００／１０００）に変換する。ｍｇ絶対値を単位とした測定値を、測定時点に対してグラフ上にプロットする。直線回帰を、増加の直線範囲のみを用いて実施する。勾配は、ｍｇ／時を単位とした分解に対応する。初期重量を考慮すると、相対的な分解は、％／時を単位として計算される（［ｍｇ／時］／［ｍｇ］×１００＝［％／時］）。回収率［％］）に関しては、ｍｇ絶対値に理論上のＳｉ含量（０．３８）を乗じる。表１は、実施例２の様々なパッケージングに関する分解試験の結果を示す。
【００３９】
【表１】
0005859429.tif 000002
【００４０】
吸着材のないパッケージング内に保存された生体吸収性創傷被覆材は、シリカゲル、ゼオライト４ＡまたはＳｉｌｉｃａｌｉｔｅ−１＋ゼオライト４Ａを含有するパッケージング内に保存された被覆材よりも、かなり著しくゆっくりと分解する。遅い吸収性または不完全な吸収性は、残留物が組織に残存する状況をインビボでもたらす可能性があり、この状況は、より長い期間にわたり、望ましくない炎症反応を引き起こす可能性がありまたは非生理的創傷治癒をもたらす可能性がある。
【００４１】
３日、１１日および２５日後の実施例２のパッケージングにおける水およびエタノールの気相濃度を決定した。吸着材のないパッケージングの場合、水の濃度は、１種または複数の吸着材を備えたパッケージングの場合よりも１．８倍（３日後、Ｓｉｌｉｃａｌｉｔｅ−１）から６倍（１１日後、シリカゲル）の間高かった。
【００４２】
吸着材のないパッケージングの場合、エタノールの濃度は、２５日後にＳｉｌｉｃａｌｉｔｅ−１＋ゼオライト４Ａを備えたパッケージングの場合よりも１０００倍超さらに高かった。したがって吸着材は、パッケージングの気相内の水および／またはエタノールの濃度の低下をもたらす。
【００４３】
実施例２のパッケージングから得た担体材料の水の含量を、パッケージングに２５日間保存した後にＮＩＲ分光法（５２５０ｃｍ−１での吸収帯の分析）を用いて測定した。
【００４４】
吸着材としてＳｉｌｉｃａｌｉｔｅ−１を含有するパッケージング内に保存された担体材料の水の含量は、平均して４．５重量％であり、吸着材としてシリカゲルを含有するパッケージング内に保存された担体材料の水の含量は、平均して３．２重量％であり、吸着材としてＳｉｌｉｃａｌｉｔｅ−１＋ゼオライト４Ａを含有するパッケージング内に保存された担体材料の水の含量は、平均して１．１重量％であった。
【００４５】
パッケージング内に１日、８日、および２２日間保存した後の、実施例２の担体材料のエトキシ含量を測定した。
【００４６】
エトキシ含量の低下は、吸着材としてＳｉｌｉｃａｌｉｔｅ−１＋ゼオライト４Ａと共に保存された担体材料を除く、全ての担体材料の場合においてある期間にわたって見られた。最後に述べた担体材料の場合、２５日後ですら測定精度内で経時的変化は観察されなかった。水吸着材（ゼオライト４Ａ）およびエタノール吸着材（Ｓｉｌｉｃａｌｉｔｅ−１）を含有するパッケージング内に保存された担体材料は、何カ月後も依然として生分解性を示す。
【図１】
0005859429.tif 000003
【図２】
0005859429.tif 000004
【図３ａ】
0005859429.tif 000005
【図３ｂ】
0005859429.tif 000006
【図４ａ】
0005859429.tif 000007
【図４ｂ】
0005859429.tif 000008